(57)【要約】【課題】  キャップにおいて、蓋体を簡易に開き止めすること。【解決手段】  キャップ本体２０に蓋体４０をヒンジ結合してなるキャップ１０であって、蓋体４０とキャップ本体２０の一方にロック片５０をヒンジ結合し、ロック片５０が係止し得る閉じ用係止部６１を蓋体４０とキャップ本体２０の他方に設けたもの。【選択図】  図２
2005047567.tif 000002
【特許請求の範囲】
【請求項１】
キャップ本体に蓋体をヒンジ結合してなるキャップであって、蓋体とキャップ本体の一方にロック片をヒンジ結合し、ロック片が係止し得る閉じ用係止部を蓋体とキャップ本体の他方に設けたキャップ。
【請求項２】
前記ロック片が係止し得る開き用係止部を蓋体とキャップ本体の一方に設けたキャップ。
【請求項３】
前記ロック片が蓋体の面取り外面に沿う曲がり状をなす請求項１又は２に記載のキャップ。
【請求項４】
前記キャップ本体が注出筒の周囲に計量部を備えた請求項１〜３のいずれかに記載のキャップ。
【発明の詳細な説明】
【技術分野】
【０００１】
本発明は容器のキャップに関する。
【背景技術】
【０００２】
容器に封着されるキャップ本体に蓋体をヒンジ結合してなるキャップにおいて、容器の物流段階等で、蓋体の開き止めを行なうものとして、キャップ本体と蓋体の合せ目にタックシールを貼るものがある。ところが、容器をダンボール箱や買い物袋に出し入れするとき、キャップの蓋体に設けてあるつば等に手が掛かると、タックシールが切れて蓋体が開き、内容物が漏出するおそれがある。一度切れたタックシールは、二度と使えないし、上下の切れ端がキャップ本体と蓋体に貼付いて残り、外観を損なう。
【０００３】
タックシールを用いずに、蓋体を開き止めする従来技術として、特許文献１に記載の如く、容器に被着されるベースと、ベースに回動可能に保持されるキャップ本体と、キャップ本体にヒンジ結合される蓋体とを備え、ベースと蓋体との相互間に、蓋体をキャップ本体に合致させた状態にてキャップ本体をベースの周りに回動させて蓋体の開栓する向きへの揺動を防止するロック機構を設けたものがある。
【特許文献１】特開2002-337904
【発明の開示】
【発明が解決しようとする課題】
【０００４】
特許文献１の従来技術には以下の問題点がある。
ａ  ロック機構がキャップの外観に表われず、一見しただけでは、ロック状態とロック解除状態の区別がつかないし、開け方もわからない。
【０００５】
ｂ  キャップ本体と蓋体からなるヒンジ結合体に対する別部品としてベースを用いるものであり、コスト高である。
【０００６】
本発明の課題は、キャップにおいて、蓋体を簡易に開き止めすることにある。
【課題を解決するための手段】
【０００７】
請求項１の発明は、キャップ本体に蓋体をヒンジ結合してなるキャップであって、蓋体とキャップ本体の一方にロック片をヒンジ結合し、ロック片が係止し得る閉じ用係止部を蓋体とキャップ本体の他方に設けたものである。
【実施例】
【０００８】
キャップ１０は、洗剤等の計量キャップであり、図１、図２に示す如く、容器１の口部に螺着（又は打ち込み）等にて被着されるキャップ本体２０と、キャップ本体２０の開口部に嵌着される中栓３０と、キャップ本体２０にヒンジ１１を介してヒンジ結合された蓋体４０とを有する。キャップ本体２０と蓋体４０はヒンジ１１とともに一体で樹脂成形される。
【０００９】
キャップ本体２０は、容器１の口部に封着される筒体２１の下端側内周に、容器１のねじ部１Ａに螺合するねじ部２１Ａを備える。キャップ本体２０は、筒体２１の内周の中間部に連続する底部２２の中央陥凹部に注出筒２３を立上げ、筒体２１と底部２２と注出筒２３がともに区画するスペースを計量部２４とする。注出筒２３は上端側側壁の周方向複数位置に注出口２３Ａを開口し、上端部に液押え板２５を封着し、液押え板２５の舌片２５Ａを注出口２３Ａの周辺に拡開可能に臨ませる。
【００１０】
中栓３０は、キャップ本体２０の筒体２１の上端側内周に環状突起部からなるシール部３１Ａを介して嵌着される環体３１を有し、筒体２１の上端面に封着されるフランジ部３１Ｂを環体３１の上端外周に備える。中栓３０は、環体３１の上端内周に設けた天板部３２に、キャップ本体２０の計量部２４のための吐出口３２Ａを開口し、外方に向けてラッパ状に開く吐出ガイド３２Ｂを吐出口３２Ａの外周に備える。
【００１１】
蓋体４０は、キャップ本体２０に嵌着された中栓３０の環体３１が備えるフランジ部３１Ｂの上面に切離し得るカップ体４１を有し、カップ体４１の外周側の周方向の一部をヒンジ１１のアーム１１Ａとし、アーム１１Ａをヒンジ部１１Ｂでキャップ本体２０の筒体２１の外面に結合している。カップ体４１は中栓３０のフランジ部３１Ｂの上面に接する開口端の外周につば４１Ａを有し、カップ体４１の内面には、キャップ本体２０の注出筒２３の注出口２３Ａまわりに嵌着し得る内筒シール部４２と、中栓３０の吐出口３２Ａに嵌着し得る外筒シール部４３を同軸的に備える。
【００１２】
蓋体４０の閉じ状態で、内筒シール部４２は注出筒２３の外周の注出口２３Ａまわりに、液押え板２５の舌片２５Ａを挟みつつ液密に嵌着し、外筒シール部４３は天板部３２の吐出口３２Ａの内周に液密に嵌着する。蓋体４０の開き状態で、内筒シール部４２はキャップ本体２０が備える注出筒２３の外周の注出口２３Ａまわりから離脱し、外筒シール部４３は中栓３０が備える天板部３２の吐出口３２Ａの内周から離脱する。
【００１３】
キャップ１０にあっては、蓋体４０にロック片５０をヒンジ結合し、蓋体４０の図１、図２に示すロック状態でロック片５０が係止し得る閉じ用係止部６１をキャップ本体２０に設け、蓋体４０の図３、図４に示すロック解除状態でロック片５０が係止し得る開き用係止部６２を蓋体４０に設けてある。ロック片５０を閉じ用係止部６１に係止することで、蓋体４０の閉じ状態をロックし（ロック状態）、ロック片５０を閉じ用係止部６１から外すことで蓋体４０のロック状態が解除される（ロック解除状態）。ロック片５０を開き用係止部６２に係止することで、蓋体４０のロック解除状態が安定維持される。
【００１４】
ロック片５０は、蓋体４０に一体で樹脂成形され、蓋体４０のカップ体４１の開口端の外周であって、ヒンジ１１の反対側に相応する部分（蓋体４０の中心部を挟んでヒンジ１１の概ね反対側となる部分で、つば４１Ａを除去してある部分）の外縁にヒンジ部５１を介して結合される。ロック片５０は、先端側を指掛け部５２とし、中間部に貫通孔状の係止孔５３を備える。キャップ本体２０と蓋体４０のそれぞれに設けた閉じ用係止部６１、開き用係止部６２は、キャップ本体２０の筒体２１の上端側外周と、蓋体４０のカップ体４１の外周のそれぞれに形成された凸部からなる。ロック片５０は、係止孔５３をそれらの閉じ用係止部６１、開き用係止部６２に押込み、それらの閉じ用係止部６１、開き用係止部６２との摩擦力により係止される（図５）。
【００１５】
ロック片５０は、蓋体４０のカップ体４１における外周面と上面が交差する丸味状（傾斜面状でも可）面取り外面４４に沿う曲がり状（弓なり状）をなす。ロック片５０をキャップ本体２０の閉じ用係止部６１に係止した状態で、図５（Ａ）に示す如く、ロック片５０の指掛け部５２がキャップ本体２０の筒体２１の外面から反り返り状に突き出る。ロック片５０を蓋体４０の開き用係止部６２に係止した状態で、図５（Ｂ）に示す如く、ロック片５０の指掛け部５２を含む全体が蓋体４０の面取り外面４４に隙間なくフィットする。
【００１６】
キャップ１０は以下の如くに用いられる。
(1)容器１の物流段階等では、ロック片５０が閉じ用係止部６１に係止され、蓋体４０をロック状態にする。
【００１７】
(2)容器１の使用段階では、ロック片５０が閉じ用係止部６１から外され、蓋体４０をロック解除状態にする。蓋体４０は開閉自在になる。
【００１８】
(3)上述(2)において、ロック片５０を開き用係止部６２に係止することで、蓋体４０のロック解除状態を安定的に維持できる。
【００１９】
尚、容器１の使用段階では、上述(2)によりロック解除された蓋体４０を開き、容器１の可撓容器本体をスクイズすることにより、容器１の内容液をキャップ本体２０の注出筒２３の注出口２３Ａから計量部２４Ａに注ぎ出し（液押え板２５により注出液の飛散が防止される）、計量部２４にて計量された内容液を中栓３０の吐出口３２Ａから吐出する。
【００２０】
本実施例によれば以下の作用効果を奏する。
（請求項１に対応する作用効果）
(1)ロック片５０と閉じ用係止部６１がキャップ１０の外観に表われる。従って、キャップ１０を一見しただけで、ロック片５０が閉じ用係止部６１に係止しているロック状態と、ロック片５０が閉じ用係止部６１に係止していないロック解除状態を区別できるし、開け方も容易にわかる。
【００２１】
(2)キャップ本体２０と蓋体４０をヒンジ結合したキャップ１０を単一成形体として一部品化でき、コスト低減できる。
【００２２】
但し、本発明にあっては、キャップ本体２０と蓋体４０を連結ピンによりピン結合する等により、別部品化するものであっても良い。
【００２３】
(3)ロック片５０と閉じ用係止部６１との係止は確実であり、容器１の取扱い時に、キャップ１０の蓋体４０に設けてあるつば４１Ａ等に手がかかっても、蓋体４０は開き止めされ、内容物の漏出を生ずることがない。
【００２４】
（請求項２に対応する作用効果）
(4)ロック片５０が係止し得る開き用係止部６２を設けることにより、閉じ用係止部６１から外したロック片５０を開き用係止部６２に係止し、蓋体４０のロック解除状態を安定維持できる。
【００２５】
（請求項３に対応する作用効果）
(5)ロック片５０が蓋体４０の面取り外面４４に沿う曲がり状をなすことにより、蓋体４０に設けた開き用係止部６２に係止したロック片５０は蓋体４０の面取り外面４４にフィットして出っ張りなく納まる。また、キャップ本体２０に設けた閉じ用係止部６１に係止したロック片５０は、先端指掛け部５２をキャップ本体２０の外面から反り返り状に突き出るものになり、この指掛け部５２に指を掛け易く、解除操作性を向上できる。
【００２６】
（請求項４に対応する作用効果）
(6)計量キャップ１０において上述(1)〜(5)を実現できる。
本発明においては、キャップ本体にロック片をヒンジ結合し、蓋体に閉じ用係止部を設け、キャップ本体に開き用係止部を設けるものでも良い。
【図面の簡単な説明】
【００２７】
【図１】図１はキャップのロック状態を示す正面図である。
【図２】図２は図１のII−II線に沿う断面図である。
【図３】図３はキャップのロック解除状態を示す正面図である。
【図４】図４は図３のIV−IV線に沿う断面図である。
【図５】図５はキャップの要部を示し、（Ａ）はロック状態の断面図、（Ｂ）はロック解除状態の断面図である。
【符号の説明】
【００２８】
１０  キャップ
１１  ヒンジ
２０  キャップ本体
２３  注出筒
２４  計量部
４０  蓋体
４４  面取り外面
５０  ロック片
６１  閉じ用係止部
６２  開き用係止部
【図１】
2005047567.tif 000003
【図２】
2005047567.tif 000004
【図３】
2005047567.tif 000005
【図４】
2005047567.tif 000006
【図５】
2005047567.tif 000007